(57)【特許請求の範囲】
【請求項１】
住戸の複数の玄関の夫々に設置されて居住者を呼び出して通話する機能を備えた玄関子機と、住戸内に設置されて前記玄関子機からの呼び出しに応答する機能を備えた居室親機とを有するインターホンシステムにおいて、
前記複数の玄関に、玄関扉の開閉を検知する扉センサと前記扉センサの監視状態を切り替える防犯切替スイッチを設け、
前記居室親機は、何れかの扉センサが開動作を検知したら警報発報動作を実施する異常発生モード、全ての前記扉センサを非監視状態とした防犯待受モード、全ての前記扉センサを監視状態とした警戒モード、少なくとも１つの前記扉センサを監視状態から非監視状態に移行して前記警戒モードを一定時間解除する一時解除モードの４つの防犯状態の何れかの状態に移行制御する防犯状態制御部と、前記玄関子機と前記扉センサと前記防犯切替スイッチとの関連付けを記憶する扉センサ場所記憶部とを有すると共に、
前記居室親機及び前記玄関子機は、異常発生やメッセージを報音する報音部を夫々有し、
前記防犯状態制御部は、防犯状態が前記防犯待受モードにある時に任意の前記防犯切替スイッチが切替操作されたら、全ての扉センサを監視状態に移行させて前記警戒モードとし、合わせて前記扉センサ場所記憶部の情報を基に監視側に切り替え操作された前記防犯切替スイッチに関連付けられている前記玄関子機の子機報音部から所定のメッセージを報音させることを特徴とするインターホンシステム。
【請求項２】
前記防犯状態制御部は、防犯状態が前記警戒モードにある時に、任意の前記防犯切替スイッチが切替操作されて当該防犯切替スイッチに関連付けられている玄関扉が開けられたら、警戒モードから前記一時解除モードに移行制御することを特徴とする請求項１記載のインターホンシステム。
【請求項３】
前記居室親機は、全ての前記扉センサを監視状態にして前記警戒モードに移行させる防犯設定部、及び監視状態にある前記扉センサの少なくとも１つを一定時間非監視状態とする一時解除操作部を有し、
前記警戒モード状態で、前記一時解除操作部の操作によって前記警戒モードが解除されても、一定時間が経過したら警戒モードに戻ることを特徴とする請求項１又は２記載のインターホンシステム。
【請求項４】
前記一時解除操作部は、所定の選択操作により選択された玄関の扉センサのみ一定時間非監視状態とすることを特徴とする請求項３記載のインターホンシステム。
【発明の詳細な説明】
【技術分野】
【０００１】
本発明は、玄関扉の開閉を検知するセンサを設けてセキュリティ機能の向上を図ったインターホンシステムに関し、特に玄関を複数備えてた住戸において夫々の扉にセンサを設けたインターホンシステムに関する。
【背景技術】
【０００２】
従来より、玄関に居住者を呼び出す玄関子機を設置するのに加えて、玄関扉の開閉を検知する扉センサを設置し、呼び出しに居住者が応答するための居室親機に扉センサの信号を送信してセキュリティ機能の向上を図ったインターホンシステムがある。例えば、特許文献１では居室親機の操作で防犯設定すると扉センサが監視状態となり、玄関扉の開動作を検知したら警報を発したし、居室親機で防犯解除操作することで扉センサを非監視状態にできた。
【先行技術文献】
【特許文献】
【０００３】
【特許文献１】特開２００３−３６４９０号公報
【発明の概要】
【発明が解決しようとする課題】
【０００４】
しかしながら、上記特許文献１のインターホンシステムでは、居室親機において防犯設定及び防犯解除操作を行うため、玄関を出てから防犯設定のし忘れに気づいたらまた居室まで戻って操作しなければならなかったし、帰宅時は玄関で防犯解除操作できなかったため、玄関を開けたら真っ先に居室親機を操作して防犯解除する必要があった。
また、玄関が複数ある場合、夫々に扉センサを設けることは可能であったが、防犯解除操作は個別にできなかったため、出入りする玄関が特定されていても全ての防犯設定を解除して出入りしなければならなかった。このように、従来のインターホンシステムは操作が面倒であったし、玄関が複数の場合はセキュリティ機能も十分とはいえなかった。
【０００５】
そこで、本発明はこのような問題点に鑑み、複数の玄関の何れの玄関から外出／帰宅しても容易に防犯設定／防犯設定解除操作でき、且つセキュリティ機能を落とすことのないインターホンシステムを提供することを目的としている。
【課題を解決するための手段】
【０００６】
上記課題を解決する為に、請求項１の発明は、住戸の複数の玄関の夫々に設置されて居住者を呼び出して通話する機能を備えた玄関子機と、住戸内に設置されて玄関子機からの呼び出しに応答する機能を備えた居室親機とを有するインターホンシステムにおいて、複数の玄関に、玄関扉の開閉を検知する扉センサと扉センサの監視状態を切り替える防犯切替スイッチを設け、居室親機は、何れかの扉センサが開動作を検知したら警報発報動作を実施する異常発生モード、全ての扉センサを非監視状態とした防犯待受モード、全ての扉センサを監視状態とした警戒モード、少なくとも１つの扉センサを監視状態から非監視状態に移行して警戒モードを一定時間解除する一時解除モードの４つの防犯状態の何れかの状態に移行制御する防犯状態制御部と、玄関子機と扉センサと防犯切替スイッチとの関連付けを記憶する扉センサ場所記憶部とを有すると共に、居室親機及び玄関子機は、異常発生やメッセージを報音する報音部を夫々有し、防犯状態制御部は、防犯状態が防犯待受モードにある時に任意の防犯切替スイッチが切替操作されたら、全ての扉センサを監視状態に移行させて警戒モードとし、合わせて扉センサ場所記憶部の情報を基に監視側に切り替え操作された防犯切替スイッチに関連付けられている玄関子機の子機報音部から所定のメッセージを報音させることを特徴とする。
この構成によれば、玄関から出る前に警戒モードに設定する必要がないので、設定し忘れて再度居室に戻る必要がなく居住者は落ち着いて出かけることができる。また、どの玄関から外出しても容易に警戒モードに設定できるし、警戒モードに設定操作した防犯切替スイッチの近傍にある玄関子機からメッセージが流れるので、操作者は設定したことを認識できる。
【０００７】
請求項２の発明は、請求項１に記載の構成において、防犯状態制御部は、防犯状態が警戒モードにある時に、任意の防犯切替スイッチが切替操作されて当該防犯切替スイッチに関連付けられている玄関扉が開けられたら、警戒モードから一時解除モードに移行制御することを特徴とする。
この構成によれば、帰宅時は玄関扉を開ける前に任意の防犯切替スイッチを操作して監視モードを一時的に解除できるので、警戒モードに設定した玄関に関係なく、どの玄関からでも入ることができる。また、玄関に設置された防犯切替スイッチを操作して警戒モードを解除しても一時的に解除されるだけなので、玄関で解除操作できてもセキュリティが低下することがない。
【０００８】
請求項３の発明は、請求項１又は２記載の構成において、居室親機は、全ての扉センサを監視状態にして警戒モードに移行させる防犯設定部、及び監視状態にある扉センサの少なくとも１つを一定時間非監視状態とする一時解除操作部を有し、警戒モード状態で、一時解除操作部の操作によって警戒モードが解除されても、一定時間が経過したら警戒モードに戻ることを特徴とする。
この構成によれば、住戸内で警戒モードに設定できるため、在宅の状態でも警戒モードに設定してセキュリティの向上を図ることができる。また、一定の時間警戒モードを解除できるため、警戒モードを完全に解除することなく扉を開けて出ることができ利便性が良い。
【０００９】
請求項４の発明は、請求項３に記載の構成において、一時解除操作部は、所定の選択操作により選択された玄関の扉センサのみ一定時間非監視状態とすることを特徴とする。
この構成によれば、出て行く玄関を選択して警戒モードを一時解除できるので、全ての玄関の警戒モードが一時解除されることはなく、セキュリティ機能を維持できる。
【発明の効果】
【００１０】
本発明によれば、玄関から出る前に警戒モードに設定する必要がないので、設定し忘れて再度居室に戻る必要がなく居住者は落ち着いて出かけることができる。また、居住者が外出するときにどの玄関から外出しても容易に警戒モードに設定できるし、警戒モードに設定操作した防犯切替スイッチの近傍にある玄関子機からメッセージが流れるので、操作者は設定したことを認識できる。
更に、玄関に設置された防犯切替スイッチを操作しても警戒モードが一時的に解除されるだけなので、玄関で解除操作できてもセキュリティが低下することがない。また、在宅中であっても警戒モードに設定できセキュリティ機能をアップできる。
【図面の簡単な説明】
【００１１】
【図１】本発明に係るインターホンシステムの一例を示すブロック図である。
【発明を実施するための形態】
【００１２】
以下、本発明を具体化した実施の形態を、図面に基づいて詳細に説明する。図１は本発明に係るインターホンシステムの一例を示すブロック図であり、１，１，・・は住戸に設けられた複数の玄関に設置される玄関子機、２は住戸内に設置される居室親機、３，３，・・は個々の玄関扉の開閉を検知する扉センサとしての開閉センサ、４，４，・・は個々の玄関子機１の付近に設置されて、開閉センサ３の監視状態を切り替える為の防犯切替スイッチである。各玄関子機１，１，・・と居室親機２は伝送線Ｌ１，Ｌ１，・・により接続されている。
【００１３】
玄関子機１は、来訪者が居住者の呼出操作等を行うための子機操作部１１、通話時に音声を入力するためのマイク１２、通話時や異常発生時などに音声や警報音を出力するためのスピーカ１３、居室親機２との通信を行うための子機通信回路１４、来訪者を撮像するためのカメラ１５、カメラ１５が撮像した映像信号を処理する映像処理回路１６、居室親機２と音声信号の送受信をするための子機通話回路１７、玄関子機１全体の制御を行う子機制御部１８等を備えている。
【００１４】
居室親機２は、各種設定操作を行うための親機操作部２１、カメラ１５の撮像映像や操作画面を表示するための表示部２２、表示部２２に表示する映像や操作画面を制御する映像処理回路２３、玄関子機１との音声通話時などに音声を入力および出力するためのマイク２４、通話時や異常発生時などに音声や警報音を出力するためのスピーカ２５、玄関子機１と通信を行なうための親機通信回路２６、玄関子機１との間で音声信号を送受信するための親機通話回路２７、居室親機２全体の制御を行う親機制御部２９と、一時的に防犯解除する玄関を記憶するための一時解除玄関記憶部３０、玄関子機１と開閉センサ３と防犯切替スイッチ４との関連付けを記憶するセンサ場所記憶部３１、防犯モード状態を記憶する状態記憶部３２、開閉センサ３を接続するセンサＩＦ３３、防犯切替スイッチ４を接続するスイッチＩＦ３４等を備えている。
【００１５】
開閉センサ３は玄関の扉毎に設置され、扉が開いているときは開信号を出力し、閉まっているときは閉信号を出力する。防犯切替スイッチ４は、全ての開閉センサを監視状態にして後述する警戒モードに移行させる監視側と、警戒モードを一時解除する非監視側に切替操作するスイッチであり、この防犯切替スイッチ４は玄関子機１の近傍に設置されている。
【００１６】
次に、このように構成されたインターホンシステムの動作を説明する。但し、玄関子機１の呼出操作を受けて居室親機２で応答する動作、呼出操作によりカメラ１５が撮像を開始して居室親機２の表示部２２に表示される動作等は従来と同様であるため説明を省略し、ここでは開閉センサ３の検知動作を中心とするセキュリティ動作を説明する。
まず、親機制御部２９は、何れかの開閉センサ３が扉の開動作を検知したら警報発報動作を実施する異常発生モード、全ての開閉センサ３を非監視状態として何れの開閉センサ３から開信号が送信されても異常発生モードに移行しない防犯待受モード、全ての開閉センサ３を監視状態として何れかの開閉センサ３から開信号が送信されたら異常発生モードに移行させる警戒モード、この警戒モードを一定時間解除する一時解除モードの４つの防犯状態の何れかの状態に移行制御するよう設定され、そのときのモード状態は状態記憶部３２に記憶される。
【００１７】
居住者が出かける際に玄関において防犯設定する操作を説明する。まず、居室親機２の親機操作部２１を操作して開閉センサ３，３，・・の状態を確認する。この操作で、防犯待受モードにある居室親機２の表示部２２に各開閉センサ３，３，・・の検知状態が表示され、扉が開／閉何れの状態であるかが表示される。この表示を見て、操作者である居住者は全ての玄関扉が閉まっていることを確認したら任意の玄関から外に出る。
【００１８】
玄関から出たら、防犯切替スイッチ４，４，・・のうち出た玄関に設置されている防犯切替スイッチ４を操作して監視側に切り替える。切替操作により防犯設定信号が居室親機２に伝送され、この防犯設定信号を受信した親機制御部２９は、全ての開閉センサ３を監視状態とし、警戒モードに移行して状態記憶部３２に警戒モード状態であることを記憶させる。
【００１９】
引き続き親機制御部２９は、警戒モードに移行したことを通知する音声を居室親機２のスピーカ２５から報音させるとともに、親機通信回路２６、伝送線Ｌ１を経由して玄関子機１のスピーカ１３からも警戒モードに移行したことを報音させる。このとき、例えば「警戒設定されました」が出力される。この報音されるメッセージは、親機制御部２９が予め記憶している。
但し、このときにメッセージが報音される玄関子機１は、センサ場所記憶部３１から操作した防犯切替スイッチ４と関連付けられた玄関子機１が読み出され、その玄関子機１のスピーカ１３から報音される。
【００２０】
この警戒モード状態において何れかの玄関扉が開けられたら、居室親機２及び玄関子機１において警報音が報音される。具体的に、警戒モード状態のとき、玄関のいずれかが開操作されたら、開動作を開閉センサ３が検知して開信号を居室親機２に伝送する。この開信号を受信した居室親機２は、親機制御部２９が警戒モードから異常発生モードに移行し、居室親機２のスピーカ２５、及び全ての玄関子機１，１，・・のスピーカ１３から異常発生を通知する音声或いは警報音が出力される。尚、状態記憶部３２には異常発生モードが記憶される。
【００２１】
居室親機２が警戒モード状態にあるときに居住者が帰宅した場合は、その解除操作が行われる。具体的に、複数の防犯切替スイッチ４，４，・・のうち、入ろうとしている任意の玄関に設置された防犯切替スイッチ４が操作される。防犯スイッチ４が非監視側になっている場合は、一旦監視側に切り替えてその後非監視側に切り替えて扉を開ける。また帰宅した玄関に設置されている防犯切替スイッチ４が監視側になっている場合は、非監視側に切り替えて玄関の扉を開ける。出かける玄関と異なる玄関から帰宅する場合は、防犯切替スイッチ４は非監視側になっているため、一旦監視側に切り替える操作が必要となる。
【００２２】
この操作によって、防犯切替スイッチ４に関連付けられた開閉センサ３が扉の開動作を検知したら、親機制御部２９は一時解除モードに移行し、警戒一時解除を通知する音声を居室親機２のスピーカ２５から出力する。また、一時解除モードに移行したら図示しないタイマをスタートして所定の時間をカウントする。
尚、このときはまだ他の玄関扉は警戒設定のままであり、開操作されると異常発生モードに移行する。
【００２３】
一時解除モードのときに、居室親機２の親機操作部２１で防犯解除操作することによって、居室親機２は防犯待受モードに移行し、親機制御部２９は状態記憶部３２の記憶を防犯待受モードに変更させる。そして、防犯解除を通知する音声を居室親機２のスピーカ２５から出力させる。
【００２４】
尚、この居室親機２での防犯解除操作が、タイマがカウントする所定時間内に行われなかった場合は、親機制御部２９が異常発生モードに移行して警報発報動作を実施することになる。
【００２５】
このように、玄関から出る前に警戒モードに設定する必要がないので、設定し忘れて再度居室に戻る必要がなく、居住者は落ち着いて出かけることができるし、居住者が外出するときにどの玄関から外出しても容易に警戒モードに設定できるし、警戒モードに設定操作した防犯切替スイッチ４の近傍にある玄関子機１からメッセージが流れるので、操作者は設定したことを認識できる。
そして、帰宅時は玄関扉を開ける前に任意の玄関から警戒モードを一時的に解除できるので、警戒モードに設定した玄関に関係なく、どの玄関からでも入ることができるし、玄関に設置された防犯切替スイッチ４を操作して警戒モードを解除しても一時的に解除されるだけなので、玄関で解除操作できてもセキュリティが低下することがない。
【００２６】
次に、警戒モード設定状態において住戸内にいる人が外出する場合を説明する。警戒モード状態において外出する場合は、次の３通りの操作がある。
第１の操作は、警戒モードを解除して出る。具体的に、居室親機２の親機操作部２１にて防犯解除操作して防犯待受モードとする。この操作で親機制御部２９により状態記憶部３２の記憶が防犯待受モードに変更され、居室親機２のスピーカ２５から防犯解除を通知する音声が出力される。こうして住戸内にいる人は任意の玄関から外出することができる。以降の操作及び動作は、上述した防犯切替スイッチ４を監視側に切り替えて警戒モードとする操作となるため説明を省略する。
【００２７】
第２の操作は、居室親機２の親機操作部２１にて防犯一時解除操作を行う。具体的に、所定の操作により一時解除操作すると、親機制御部２９は防犯一時解除モードに移行し、図示しないタイマが所定時間（例えば１分）の計時を開始する。また、居室親機２のスピーカ２５から防犯一時解除を通知する音声が出力され、状態記憶部３２に防犯一時解除モードが記憶される。
この結果、住戸内にいる人は任意の玄関から外に出て外出することができる。その後、タイマがタイムアップすると、居室親機２は再び警戒モード状態となり、状態記憶部３２は警戒モードを記憶する。また、警戒モードに移行したことを通知する音声が居室親機２のスピーカ２５から出力される。
【００２８】
第３の操作は、居室親機２にて出かける玄関を指定し、その玄関のみ警戒モードを一時解除する。具体的に、親機操作部２１を所定の操作により警戒モードの一時解除操作を行うと共に解除する玄関を指定する。この操作により、親機制御部２９は防犯一時解除モードに移行し、状態記憶部３２に対して防犯一時待受モードを記憶させる。同時に、一時解除玄関記憶部３０に選択した玄関を記憶させ、所定時間（例えば１分）の計時を開始して、居室親機２のスピーカ２５から一時解除を通知する音声を出力させる。こうして、住戸内にいる人は指定した玄関の扉を開けて外出することができる。
【００２９】
尚、第３の操作において、一時解除玄関記憶部３０に記憶された玄関以外の玄関が開けられた場合、それを開閉センサ３が検知して親機制御部２９は異常発生モードに移行し、居室親機２のスピーカ２５および全ての玄関子機のスピーカ１３，１３，・・から異常発生を通知する音声や警報音が出力される。
また、防犯一時解除モードに移行してスタートしたタイマがタイムアップすると、親機制御部２９は再び警戒モードに移行し、警戒モードになったことを通知する音声を居室親機２のスピーカ２５から出力させる。また、状態記憶部３２には警戒モードが記憶される。
【００３０】
このように、住戸内で警戒モードに設定できるため、在宅の状態でも警戒モードに設定してセキュリティの向上を図ることができる。また、居室親機２において一定の時間警戒モードを解除できるため、警戒モードを完全に解除することなく出かけることができ利便性が良い。
また、出て行く玄関を選択して警戒モードを一時解除できるので、全ての玄関の警戒モードが一時的に解除されることはなく、セキュリティ機能を維持できる。
【００３１】
尚、上記実施形態では、玄関扉のみ開閉センサ３を設けた構成を示しているが、開閉センサ３は窓や住戸内の扉に設置しても良く、警戒モード状態において玄関の扉が開けられなくても、窓や室内のドアが開けられたら警報を発するためセキュリティ機能の更なる向上に有効である。
【符号の説明】
【００３２】
１・・玄関子機、２・・居室親機、３・・開閉センサ（扉センサ）、４・・防犯切替スイッチ、１３・・スピーカ（子機報音部）、２１・・親機操作部（防犯設定部、一時解除操作部）、２５・・スピーカ（親機報音部）、２９・・親機制御部（防犯状態制御部）、３０・・一時解除玄関記憶部、３１・・センサ場所記憶部、３２・・状態記憶部。
【図１】
0005489297.tif 000002